(57)【特許請求の範囲】
【請求項１】
内部に中空室を有するとともにこの中空室に貫通する小径孔を表面に多数穿設した減圧鋳型造型用の模型箱の側壁に前記中空室に連通するように形成された通気孔と、この通気孔と連通する弁口を有して前記模型箱の外側面に固着された弁座と、この弁座の弁口を開閉するように設けられ前記模型箱外方からの吸引作用によって前記弁口を開放するとともに前記中空室からの負圧による吸引作用によって前記弁口を閉鎖する弾性部材およびこの弾性部材の表面に装着された２枚の磁性体から成る弁体と、を含むチェック弁機構に対して、真空源および圧縮空気源を接続する装置であって、
前記弁座に当接・分離可能に配設され弁座に当接された時に前記弁口の外周を気密に包囲可能でありかつ真空源および圧縮空気源に開閉弁をそれぞれ介して接続された包囲手段と、
この包囲手段内に装着され包囲手段が前記弁座に当接した時に前記弁体の２枚の磁性体を吸着して前記弁口を開放可能な電磁石と、
前記包囲手段を前記弁座に対して進退動させる駆動手段と、
を含むことを特徴とする減圧鋳型造型用の模型箱の真空源等への接続装置。
【請求項２】
前記電磁石の芯体の先端を、くの字状に折れ曲がった前記弁体の２枚の磁性体を密着可能な形状に構成したことを特徴とする請求項１に記載の減圧鋳型造型用の模型箱の真空源等への接続装置。
【請求項３】
前記弁体の２枚の磁性体は鋼板で構成したことを特徴とする請求項１または２に記載の減圧鋳型造型用の模型箱の真空源等への接続装置。
【請求項４】
内部に中空室を有するとともにこの中空室に貫通する小径孔を表面に多数穿設した減圧鋳型造型用の模型箱における前記中空室に対して、真空源および圧縮空気源を接続する装置であって、
前記模型箱の側壁に前記中空室に連通するように形成された通気孔を開閉するチェック弁機構と、
このチェック弁機構に対して真空源および圧縮空気源を接続する接続手段と、
を具備し、
前記チェック弁機構は、
前記通気孔と連通する弁口を有して前記模型箱の外側面に固着された弁座と、
この弁座の弁口を開閉するように設けられ前記模型箱外方からの負圧による吸引作用によって前記弁口を開放するとともに前記中空室からの吸引作用によって前記弁口を閉鎖する弾性部材およびこの弾性部材の表面に装着された２枚の磁性体から成る弁体と、
を含み、
前記接続手段は、
前記弁座に当接・分離可能に配設され弁座に当接された時に前記弁口の外周を気密に包囲可能でありかつ真空源および圧縮空気源に開閉弁をそれぞれ介して接続された包囲手段と、
この包囲手段内に装着され包囲手段が前記弁座に当接している時に前記弁体の２枚の磁性体を吸着して前記弁口を開放可能な電磁石と、
前記包囲手段を前記弁座に対して進退動させる駆動手段と、
を含むことを特徴とする減圧鋳型造型用の模型箱の真空源等への接続装置。
【請求項５】
前記包囲手段を方向切換弁を介して真空源および大気中にそれぞれ接続可能に構成したことを特徴とする請求項１乃至４のうちいずれか１項に記載の減圧鋳型造型用の模型箱の真空源等への接続装置。
【発明の詳細な説明】
【技術分野】
【０００１】
本発明は、減圧鋳型造型用の模型箱の真空源等への接続装置に係り、より詳しくは、内部に中空室を有するとともにこの中空室に貫通する小径孔を表面に多数穿設した減圧鋳型造型用の模型箱における前記中空室に対して、真空源および圧縮空気源を接続する装置に関する。
【背景技術】
【０００２】
本出願人は、先に、減圧鋳型造型用鋳枠の内側を真空源に接続すべく、減圧鋳型造型用鋳枠の側面に装着されたチェック弁を提案し、特許出願している。このチェック弁は、減圧鋳型造型用鋳枠の側面部に、その鋳枠内外に連通するように形成された通気孔と、この通気孔と連通する弁口を有し、前記鋳枠の側面に固着された弁座と、この弁座の弁口を開閉するように設けられ前記鋳枠外方からの吸引作用によって前記弁口を開放するとともに前記鋳枠内部からの吸引作用によって前記弁口を閉鎖する弾性部材およびこの弾性部材の表面に装着された２枚の磁性体から成る弁体とを備えている（特許文献１）。
そして、このチェック弁を、内部に中空室を有するとともにこの中空室に貫通する小径孔を表面に多数穿設した減圧鋳型造型用の模型箱に適用したものも提案し、特許出願している（特許文献２）。
【特許文献１】特開昭５４−１３３４２８号公報
【特許文献２】特開平１１−３２００３１号公報
【発明の開示】
【発明が解決しようとする課題】
【０００３】
一般に、減圧鋳型造型法においては、模型箱の表面に樹脂フィルムを吸着させ、樹脂フィルムを吸着した模型箱上に鋳枠を載せ、この鋳枠内に硅砂を充填したのち鋳枠および硅砂の上面を樹脂フィルムで被い、鋳枠内を吸引減圧して硅砂を固化させ、その後、固化した硅砂を内蔵する鋳枠を模型箱から分離して所望の鋳型を造型する。
【０００４】
ところで、上記のように構成されたチェック弁では、模型箱外方からの負圧による吸引作用が働くと、弁体がくの字状に折り曲げって弁口を開放し、吸引作用がなくなると、弁体は元の状態に戻って弁口を閉鎖する。したがって、弁体に吸引作用が働かない場合、弁体をくの字状に折り曲げて弁口を開放する状態を維持することができず、そのため、硅砂が固化したのち樹脂フィルムの模型箱表面への吸着状態を解除して鋳枠を模型箱から分離する場合や、樹脂フィルムが不良のためこの樹脂フィルムを模型箱表面から分離する場合など、模型箱の中空室の減圧状態を急速に解除する必要がある場合でも、その中空室の減圧状態を急速に解除することができず、従来は、模型箱と樹脂フィルムとの隙間や、チェック弁自身からの空気の漏れを待って、中空室を大気圧に戻しその減圧状態を解除していた。そのため、減圧鋳型造型の生産性・効率が悪いなどの問題があった。
【０００５】
本発明は上記の事情に鑑みてなされたもので、その目的は、減圧鋳型造型用の模型箱の中空室の減圧状態を急速に解除することが可能な模型箱の真空源等への接続装置を提供することにある。
【課題を解決するための手段】
【０００６】
上記の目的を達成するため、本発明における減圧鋳型造型用の模型箱の真空源等への接続装置は、内部に中空室を有するとともにこの中空室に貫通する小径孔を表面に多数穿設した減圧鋳型造型用の模型箱の側壁に前記中空室に連通するように形成された通気孔と、この通気孔と連通する弁口を有し、前記模型箱の側面に固着された弁座と、この弁座の弁口を開閉するように設けられ前記模型箱外方からの吸引作用によって前記弁口を開放するとともに前記中空室からの負圧による吸引作用によって前記弁口を閉鎖する弾性部材およびこの弾性部材の表面に装着された少なくとも２枚の磁性体から成る弁体と、を含むチェック弁機構にたいして、真空源および圧縮空気源を接続する装置であって、前記弁座に対して当接・分離可能に配設され、弁座に当接された時に前記弁口の外周を気密に包囲可能でありかつ真空源および圧縮空気源に開閉弁をそれぞれ介して接続された包囲手段と、この包囲手段内に装着され包囲手段が前記弁座に当接した時に前記２枚の磁性体を吸着して前記弁口を開放可能な電磁石と、前記包囲手段を前記弁座に対して進退動させる駆動手段と、を含むことを特徴とする。    
【０００７】
このように構成されたものは、開閉弁が閉じられて包囲手段と真空源の連通状態が解除され、模型箱外方からの負圧による吸引作用が働かず弁口の開放状態を維持することができないが、模型箱の中空室の減圧状態を急速に解除する必要がある場合、包囲手段を弁座に当接させるとともに包囲手段と真空源とを連通させた状態で、電磁石に電気を供給してチェック弁機構の弁体の磁性体を電磁石に吸着させ、これにより弁口の開放状態を維持し、続いて、包囲手段と真空源の連通状態を解除したのち、開閉弁を開いて包囲手段を圧縮空気源に連通させて包囲手段を介して模型箱の中空室に圧縮空気を供給する。この結果、模型箱の中空室の減圧状態は急速に解除されることになる。
【発明の効果】
【０００８】
上記の説明から明らかなように本発明によれば、開閉弁が閉じられて包囲手段と真空源の連通状態が解除され、模型箱外方からの負圧による吸引作用が働かず、弁口の開放状態を維持することができないが、模型箱の中空室の減圧状態を急速に解除する必要がある場合、包囲手段を弁座に当接させた状態で、電磁石に電気を供給してチェック弁機構の弁体の磁性体を電磁石に吸着させ、これにより弁口の開放状態を維持することができるため、包囲手段を介して模型箱の中空室に圧縮空気を供給して、その中空室の減圧状態を急速にして適確に解除することができるなどの優れた実用的効果を奏する。
【発明の実施の形態】
【０００９】
以下、本発明を適用した減圧鋳型造型設備の実施例について図１〜図５に基づき詳細に説明する。図３に示すように、本減圧鋳型造型設備は、内部に中空室１を有するとともにこの中空室１に貫通する小径孔２を表面に多数穿設した減圧鋳型造型用の模型箱３と、前記中空室１に連通するようにして前記模型箱３の側壁に形成された通気孔４を開閉するチェック弁機構５と、このチェック弁機構５に対して真空源としての真空ポンプ６および圧縮空気源としてのエアコンプレッサ７を接続する接続手段８と、で構成してある。
【００１０】
そして、前記チェック弁機構５においては、図１に示すように、前記通気孔４に、外側面に大径の凹陥部９を有する弁座１０が取付け座１１を介して取り付けてあり、前記凹陥部９には、中央部に所定幅のリム部１２を挟んで対向する半円形状の２個の弁口１３が形成してあって、凹陥部９の底部に相当するシート面が２個の弁口１３の周囲部を囲繞するようになっている。さらに、前記凹陥部９のリム部１２には例えばゴム等の弾性部材からなる円形板状の弁体１４が装着してあり、弁体１４の背面の中央部には溝状に陥没させることによってリム部１２と対向する溝部１５が形成してあって、弁体１４はこの溝部１５にて座金１６を介してリム部１２に装着してある。また、弁体１４の背面部における溝部１５を除く部位には鋼板等の２枚の磁性体１７が焼付け貼着してある。
【００１１】
また、前記接続手段８においては、図1および２に示すように、円筒状を成し、先端に貼着されたシール部材１８を介して前記弁口１３の外周を気密に包囲可能でありかつ前記真空ポンプ６に連通する第１配管孔１９と前記エアコンプレッサ７に連通する第２配管孔２０とを胴部にそれぞれ有する接続本体２１と、この接続本体２１が気密に環装された有底の円筒部２２を左端部に有する支持部材２３とで包囲手段２４を構成してあり、さらに、前記支持部材２３の円筒部２２の底位置には電磁石２５が装着してある。また、前記包囲手段２４は、ブラケット２６を介して駆動手段としての横向きエアシリンダ２７のピントンロッドの先端に装着してある（図１参照）。そして、前記電磁石２５の芯体の先端は、前記弁体１４がくの字状に折れ曲がった時の前記２枚の磁性体１７が密着可能な形状を成している。
【００１２】
なお、図３に示すように、前記第１配管孔１９は開閉弁２８を介して前記真空ポンプ６に、また前記第２配管孔２０は流量調整弁２９、開閉弁３０および減圧弁３１を順に介して前記エアコンプレッサ７に接続してある。また、前記エアシリンダ２７は２個の流量調整弁３２および方向切換弁３３を順に介して前記エアコンプレッサ７に接続してあり、しかも、前記ブラケット２６にはガイドバー３４を備えたガイド機構３５が装着してあって、前記方向切換弁３３の切換により前記エアシリンダ２７が伸縮作動して前記包囲手段２４は前記弁座１０に当接・分離するようになっている。
【００１３】
このように構成したものは、図４−Ａに示すように、チェック弁機構５と包囲手段２４とが分離した状態から、図４−Ｂに示すように、エアシリンダ２７を伸長作動して包囲手段２４を弁座１０に当接し、チェック弁機構５と包囲手段２４とを接続する。次いで、開閉弁２８を開いて包囲手段２４を真空ポンプ６に連通させ、チェック弁機構５の弁体１４をくの字状に折り曲げて弁口１３を開放し、この弁口１３の開放により模型箱３の中空室１内を吸引減圧して模型箱１の表面に樹脂フィルムを吸着させる。そして、模型箱３の中空室１の減圧状態を急速に解除する必要がある場合、包囲手段２４を弁座１０に当接させた状態で、電磁石２５に電気を供給してチェック弁機構５の弁体１４の磁性体１７を電磁石２５の芯体に吸着させ、これにより弁口１３の開放状態を維持し、続いて、開閉弁２８を閉じて包囲手段２４と真空ポンプ６の連通状態を解除し、その後、開閉弁３０を開いて包囲手段２４をエアコンプレッサ７に連通させ、包囲手段２４を介して中空室１に圧縮空気を供給する。この結果、模型箱３の中空室１の減圧状態は急速に解除されることになる。
【００１４】
なお、上記の実施例では、開閉弁２８を閉じたのち開閉弁３０を開いて包囲手段２４を介して中空室１に圧縮空気を供給し、中空室１の減圧状態を急速に解除するようにしてあるが、これに限定されるものではなく、例えば、図５に示すように、接続本体２１におけるエアコンプレッサ７に連通する第２配管孔２０を省略し、かつ、第１配管孔１９を方向切換弁３６を介して真空ポンプ６に連通させて、中空室１の減圧状態を解除する場合には、方向切換弁３６を切り換えて、包囲手段２４内と真空ポンプ６とを遮断するとともに、方向切換弁３６を介して包囲手段２４内を大気中に連通させるようにしてもよい。
【図面の簡単な説明】
【００１５】
【図１】本発明を適用した減圧鋳型造型設備の一実施例の主要部の縦断面図である。
【図２】図１における所要部（包囲手段２４）の左側面図である。
【図３】本発明を適用した減圧鋳型造型設備の一実施例の模式図である。
【図４】図３に示す減圧鋳型造型設備の作動説明図である。
【図５】本発明を適用した減圧鋳型造型設備の他の実施例の模式図である。
【符号の説明】
【００１６】
３    模型箱
５    チェック弁機構
６    真空ポンプ
７    エアコンプレッサ
８    接続手段
１０    弁座
１３    弁口
１４    弁体
１７    磁性体
２１    接続本体
２３    支持部材
２４    包囲手段
２５    電磁石
２７    エアシリンダ
２８；３０    開閉弁
【図１】
0004789013.tif 000002
【図２】
0004789013.tif 000003
【図３】
0004789013.tif 000004
【図４】
0004789013.tif 000005
【図５】
0004789013.tif 000006